(57)【要約】石材を用いた橋脚の補修補強工法において、橋脚の周縁に鉄筋を配設する工程と、鉄筋が配設された外側に石材を積み、石材を橋脚又は鉄筋に連結・固定する工程と、石材と橋脚との間にコンクリートを打設する工程とにより、橋脚全体を補修補強し、補修補強の後で、コンクリートが水中に露出されないようにし、石材の材質の特性上、１回の補修補強作業で橋脚の外観が優秀となり、長期間を使用しても腐食されず、耐久性に優れ、追加的な補修補強作業が不要となる等、半永久的に用いることにある。【特許請求の範囲】
【請求項１】
橋脚（１０）の周縁に水密性ケーソン（１１）を設け、前記橋脚（１０）と前記水密性ケーソン（１１）との間の水を除去した後で、前記橋脚（１０）を補修補強する石材を用いた橋脚の補修補強工法において、前記橋脚（１０）の周縁に鉄筋（１３）を配設する工程と、前記鉄筋（１３）が配設された外側に石材（１２）を積み、前記石材（１２）を前記橋脚（１０）又は前記鉄筋（１３）に連結・固定する工程と、前記石材（１２）と前記橋脚（１０）との間にコンクリート（２０）を打設する工程とからなることを特徴とする石材を用いた橋脚の補修補強工法。
【請求項２】
前記石材（１２）を固定する工程は、一方が環状となり、前記鉄筋（１３）に固定され、他方が前記石材（１２）の内側の中央に締結される一のアンカーボルト（１４）と、一方が環状となり、前記鉄筋（１３）に固定され、他方には連結ピン（１６）が直交して設けられ、上下に並列に設けられた前記石材（１２）を締結する他のアンカーボルト（１５）とにより固定することを特徴とする請求項１に記載の石材を用いた橋脚の補修補強工法。
【請求項３】
前記石材（１２）を固定する工程は、一方の先端には前記橋脚（１０）に締結されるアンカーボルト（１８）が結合され、他方の先端には連結ピン（１９）が直交して設けられ、上下に並列に設けられた前記石材（１２）を締結するアングル（１７）により固定することを特徴とする請求項１に記載の石材を用いた橋脚の補修補強工法。
【発明の詳細な説明】
【技術分野】
【０００１】
本発明は、石材を用いた橋脚の補修補強工法に係り、特に橋脚を補修補強する際に、部分的な補修補強ではなく、橋脚全体を補修補強し、補修補強の後で、コンクリートが水中に露出されないようにする石材を用いた橋脚の補修補強工法に関するものである。
【背景技術】
【０００２】
一般に、橋脚が、凍結融解により被服コンクリートの強度が低下するか、材料の分離と被覆の不足とにより鉄筋が露出され、腐食される現象、流送物質との衝突と渦流現象により磨耗・侵食される現象、コンクリートの中性化現象などが見出されると、直ちに上記橋脚を補修補強しなけらばならない。
【０００３】
上記橋脚を補修補強する方法は、作業者が水中において作業するのが普遍的であったが、今年には、本出願人が提案したことのある水密性ケーソンを橋脚の周囲に設けて、ドライエッチング状態で作業をする。
【０００４】
即ち、添付の図１でのように、橋脚１００の周囲に水密性ケーソン１０１を設け、上記水密性ケーソン１０１と橋脚１００との間で水を除去した後、作業者１０２がワイヤ１０３に乗って降りて損傷部位みにコンクリートを打設する方法により橋脚１００を補修補強する。
【発明の開示】
【発明が解決しようとする課題】
【０００５】
ところが、従来、このような従来の補修補強工程は、橋脚１００の損傷部位のみを補修補強するため、部分的な補修補強がなされ、ムラのように示され、既存のコンクリートとの付着力の不足により補修補強されたコンクリートと既存のコンクリートとが接する部分が脱落するか、侵食現象が生じやすく、橋脚１００が補修補強の後、再度水中に露出されるため、引き続き損傷が発生する等の問題がある。
【課題を解決するための手段】
【０００６】
本発明は、橋脚の周縁に水密性ケーソンを設け、前記橋脚と前記水密性ケーソンとの間の水を除去した後で、前記橋脚を補修補強する補修補強工法において、前記橋脚の周縁に鉄筋を配設する工程と、前記鉄筋が配設された外側に石材を積み、前記石材を前記橋脚又は前記鉄筋に連結・固定する工程と、前記石材と前記橋脚との間にコンクリートを打設する工程とからなることを特徴とする。
【発明の効果】
【０００７】
本発明の石材を用いた橋脚の補修補強工法は、橋脚を補修補強する際に、部分的な補修補強ではなく、橋脚全体を補修補強し、補修補強の後で、コンクリートが水中に露出されないようにし、１回の補修補強作業で橋脚の外観を優秀とし、耐久性に優れ、追加的な補修補強作業が不要とする。
【０００８】
上記のような本発明の構成及び作用を、添付の図面に基づいて詳細に説明すると、下記の通りである。
【発明を実施するための最良の形態】
【０００９】
本発明は、橋脚全体を補修補強し、補修補強の後で、コンクリートが水中に露出されないようにする目的を、石材を橋脚又は鉄筋に連結・固定する工程と、石材と橋脚との間にコンクリートを打設する工程とにより実現するものである。
以下、図面に基づいてこの発明の実施例を詳細且つ具体的に説明する。
【実施例】
【００１０】
図２は、本発明による橋脚の補修補強工程を示す構成図であり、図３は、図２の部分拡大断面図であり、図４は、本発明により橋脚が補修補強された様子を示す断面図であり、図５は、本発明による橋脚の補修補強工程図である。
【００１１】
本発明は、橋脚に損傷が見出されると、橋脚１０の周縁に水密チューブ２１と、バラストタンク２２と、支柱台２３とからなる水密性ケーソン１１を水上で組み立てて、橋脚１０の底や壁体に密着・設置し、上記の水密性ケーソン１１と橋脚１０との間の水を除去して、作業者が作業を行えるようにする。
【００１２】
以降、橋脚１０の表面に取り付けられた異物質を除去した後、上記橋脚１０の周縁に鉄筋１３を配設し、鉄筋１３が配設された外側に石材１２を積む。
【００１３】
上記石材１２は、アンカーボルト１４、１５を用いて鉄筋に連結・固定させつつ積み、上記アンカーボルト１４、１５は、一方が環状となったアンカーボルト１４と、一方が環状となり、他方は連結ピン１６が直交して設けられたアンカーボルト１５とを備え、一方が環状となったアンカーボルト１４は、環状となった一方を鉄筋１３に掛止し、他方は石材１２の内側中央に締結・固定させる。
【００１４】
また、連結ピン１６が設けられたアンカーボルト１５は、環状となった一方を鉄筋１３に掛止し、他方に設けられた連結ピン１６の上・下端は、上下に並列に設けた石材１２の底面と上側面にそれぞれ締結・固定させる。
【００１５】
以降、上記石材１２と橋脚１０との間にコンクリート２０を打設して養生させた後、水密性ケーソン１１を解体・撤去する。
【００１６】
上記工程により、橋脚１０の補修補強工事が完了すると、石材１２の材質上の特性から、橋脚１０の外観が優秀で、長い期間が経過しても、水中は勿論、水面と接触する部分も腐食しなくなる。
【００１７】
一方、添付の図６は、本発明の他の実施例を示し、本発明による補修補強工法の工程のうち、石材１２を固定する工程において、他の手段により石材１２を固定するものであって、一方の先端は連結ピン１９が直交して設けられ、他方の先端は、アンカーボルト１８が設けられ、上記アンカーボルト１８が設けられた内側を折り曲げて形成したアングル１７を備え、アンカーボルト１８は、橋脚１０に設置・固定させ、連結ピン１９の上・下端はそれぞれ上下に並列に設けられた石材１２の底面と上側面に設置・固定させ、石材１２を固定・支持するものである。
【００１８】
このような他の実施例は、橋脚１０と石材１２との間隙が狭くなって、その間に鉄筋１３を配設する必要がなく、作業が容易であり、費用が安価な施工方法である。
【００１９】
また、添付の図７は、本発明の更に他の実施例を示し、損傷部位が橋脚１０の上側のみにあるか、石材１２を用いて橋脚１０の外観を優秀にしようとする際に、少ない費用と短い工期で補修補強するものであって、水密性ケーソン１１の下端が橋脚１０の中間部分に位置されるように設け、上記の水密性ケーソン１１と橋脚１０との間の水を除去した後、作業者が降りて補修補強作業をするものである。
【００２０】
上記の本発明の実施例と他の実施例では、橋脚１０の補修補強について説明したが、橋脚１０を新設する際にも適用でき、石材１２の他、高強度の合成樹脂やその他の耐久性と腐食性に優れる材質を用いることもできる。
【００２１】
本発明の効果は、橋脚の補修補強の際、石材を用いて補修補強する工法に関するものであって、石材の材質の特性上、橋脚の外観が優秀となり、長期間を使用しても腐食されず、追加的な補修補強作業が不要となるなど、半永久的に用いることができる。
【産業上の利用可能性】
【００２２】
石材を橋脚又は鉄筋に連結・固定する工程と、石材と橋脚との間にコンクリートを打設する工程とを、他の補修補強工法にも適用することができる。
【図面の簡単な説明】
【００２３】
【図１】従来の橋脚の補修補強工程を示す状態図である。
【図２】本発明による橋脚の補修補強工程を示す構成図である。
【図３】図２の部分拡大断面図である。
【図４】本発明により橋脚が補修補強された様子を示す断面図である。
【図５】本発明による橋脚の補修補強工程図である。
【図６】本発明の他の実施例による補修補強工程を示す構成図である。
【図７】本発明の更に他の実施例による補修補強工程を示す構成図である。
【符号の説明】
【００２４】
１０  橋脚
１１  水密性ケーソン
１２  石材
１３  鉄筋
１４、１５、１８  アンカーボルト
１６、１９  連結ピン
１７  アングル
２０  コンクリート
２１  水密チューブ
２２  バラストタンク
２３  支柱台
【図１】
2004538398.tif 000002
【図２】
2004538398.tif 000003
【図３】
2004538398.tif 000004
【図４】
2004538398.tif 000005
【図５】
2004538398.tif 000006
【図６】
2004538398.tif 000007
【図７】
2004538398.tif 000008
【国際公開パンフレット】
2004538398.tif 000009
2004538398.tif 000010
2004538398.tif 000011
2004538398.tif 000012
2004538398.tif 000013
2004538398.tif 000014
2004538398.tif 000015
2004538398.tif 000016
2004538398.tif 000017
2004538398.tif 000018
2004538398.tif 000019
2004538398.tif 000020
2004538398.tif 000021
【国際調査報告】
2004538398.tif 000022
2004538398.tif 000023